(57)【要約】【課題】排水性能が優れたモータを提供すること。【解決手段】入力端子を支持するグロメット４０を、モータヨーク及びエンドフレームにより囲まれた収容空間に対して鉛直方向下方に配置し、前記グロメット４０に、前記収容空間内に存在する水を前記収容空間の外部に排水する水抜穴４４と、前記収容空間の外部から前記収容空間内に空気を送り込む呼吸穴４５とを形成する。そして、水抜穴４４及び呼吸穴４５の外側開口部４４ｂ，４５ｂを鉛直方向下方に開口するように形成した。【選択図】        図４
2005143246.tif 000002
【特許請求の範囲】
【請求項１】
筒状のモータヨークと、該モータヨークの開口部を閉止するエンドフレームと、該モータヨークとエンドフレームとの間で挟持され、電力を供給する入力端子を支持するグロメットとを備えたモータにおいて、
前記グロメットは、モータヨーク及びエンドフレームにより囲まれた収容空間に対して鉛直方向下方に配置され、
前記グロメットに、前記収容空間の内部に開口する内側開口部及び前記収容空間の外部に開口する外側開口部を有し、前記収容空間の内部に存在する水を前記収容空間の外部に排水する水抜穴と、前記収容空間の内部に開口する内側開口部及び前記収容空間の外部に開口する外側開口部を有し、前記収容空間の外部と前記収容空間の内部とを連通する呼吸穴とを形成し、
前記水抜穴及び前記呼吸穴の外側開口部を鉛直方向下方に開口するように形成したことを特徴とするモータ。
【請求項２】
前記水抜穴の内側開口部を、前記呼吸穴の内側開口部よりも鉛直方向下方に形成したことを特徴とする請求項１に記載のモータ。
【請求項３】
前記水抜穴及び前記呼吸穴は、共に非直線状に形成されたことを特徴とする請求項１又は請求項２に記載のモータ。
【請求項４】
前記水抜穴及び前記呼吸穴は、前記グロメットの側面に形成された溝部と、該側面に圧接されたモータヨーク又はエンドフレームにより形成されることを特徴とする請求項１〜請求項３のいずれか一項に記載のモータ。
【請求項５】
モータヨーク又はエンドフレームと圧接するグロメットの側面のうち、任意の一の側面に水抜穴を形成し、当該水抜穴を形成した側面の反対側のグロメットの側面に呼吸穴を形成したことを特徴とする請求項４に記載のモータ。
【発明の詳細な説明】
【技術分野】
【０００１】
本発明は、排水構造を有するモータに関するものである。
【背景技術】
【０００２】
従来、モータは、モータハウジングと、該モータハウジング内に回転可能に保持されるロータ（回転子）とを備えている。モータハウジングは、略有底筒形状に形成されたモータヨークと、該モータヨークの開口部を閉止するエンドフレームとから構成されている。そして、回転子は、モータヨークとエンドフレームに設けられた軸受によりその回転軸が軸支されるようになっている。
【０００３】
このようなモータは、完全防水構造となっていないので、例えば、多湿環境において使用される場合等には、軸受その他の隙間からモータハウジング（即ち、モータヨークとエンドフレームに囲まれた収容空間）内に湿気或いは水が浸入し、モータハウジング内で凝結するため、この水滴を排出する必要がある。
【０００４】
そこで、排水構造を有するモータとして、例えば、特許文献１には、電源供給部内にモータハウジング（文献内では、ケース）の内外に開口する水抜穴（文献内ではドレン穴）を設けたモータがある。
【０００５】
詳しく説明すると、エンドフレーム（文献内では、ケースキャップ）の内端面には、絶縁性樹脂材料からなりブラシを保持するホルダベースが固着されると共に、該ホルダベースの外周端部には、回転子の軸線と交差する方向に電源供給部が一体、且つモータヨークの外側面から突出するように設けられている。そして、該電源供給部内には、前記ブラシと接続される一対の入力端子が設けられ、これらの入力端子の間には、前記ケースの内外に開口する水抜穴が一つだけ設けている。従って、このモータによれば、構成部材の点数が少なく、また、構成部材の大幅な形状変更することなく排水機能をモータに付与することができるとしている。
【特許文献１】実開平７−３６５６６号公報
【発明の開示】
【発明が解決しようとする課題】
【０００６】
しかしながら、このような構造のモータでは、水抜穴が一つしか形成されていないので、モータハウジング内からモータハウジング外へ水が排水されるに従って、モータハウジング内の気圧が外部の気圧と比較して低くなる（場合によっては、モータハウジング内の気圧が負圧となる）。このため、気圧の関係上、徐々に排水性能が低下していくといった問題があった。
【０００７】
この発明は、このような従来技術に存在する問題点に着目してなされたものであり、排水性能が優れたモータを提供することにある。
【課題を解決するための手段】
【０００８】
上記目的を達成するために、請求項１に記載の発明は、筒状のモータヨークと、該モータヨークの開口部を閉止するエンドフレームと、該モータヨークとエンドフレームとの間で挟持され、電力を供給する入力端子を支持するグロメットとを備えたモータにおいて、
前記グロメットは、モータヨーク及びエンドフレームにより囲まれた収容空間に対して鉛直方向下方に配置され、前記グロメットに、前記収容空間の内部に開口する内側開口部及び前記収容空間の外部に開口する外側開口部を有し、前記収容空間の内部に存在する水を前記収容空間の外部に排水する水抜穴と、前記収容空間の内部に開口する内側開口部及び前記収容空間の外部に開口する外側開口部を有し、前記収容空間の外部と前記収容空間の内部とを連通する呼吸穴とを形成し、前記水抜穴及び前記呼吸穴の外側開口部を鉛直方向下方に開口するように形成したことを要旨とする。
【０００９】
請求項２に記載の発明は、請求項１に記載の発明において、前記水抜穴の内側開口部を、前記呼吸穴の内側開口部よりも鉛直方向下方に形成したことを要旨とする。
請求項３に記載の発明は、請求項１又は請求項２に記載の発明において、前記水抜穴及び前記呼吸穴は、共に非直線状に形成されたことを要旨とする。
【００１０】
請求項４に記載の発明は、請求項１〜請求項３のうちいずれか一項に記載の発明において、前記水抜穴及び前記呼吸穴は、前記グロメットの側面に形成された溝部と、該側面に圧接されたモータヨーク又はエンドフレームにより形成されることを要旨とする。
【００１１】
請求項５に記載の発明は、請求項４に記載の発明において、モータヨーク又はエンドフレームと圧接するグロメットの側面のうち、任意の一の側面に水抜穴を形成し、当該水抜穴を形成した側面の反対側のグロメットの側面に呼吸穴を形成したことを要旨とする。
（作用）
請求項１に記載の発明によれば、グロメットに、水抜穴と呼吸穴とを形成した。このため、水抜穴及び呼吸穴から同時に水が排水されない限り、水抜穴が収容空間の内部から水を収容空間の外部に排水するとき、呼吸穴は外部から空気を収容空間の内部に導入する。従って、収容空間の内部の気圧が一定に保たれるので、水を排水する穴だけを形成した場合と比べて排水性能を向上させることが可能となる。また、水抜穴及び呼吸穴の外側開口部を鉛直方向下方に開口するように形成した。このため、重力の関係上、外部から水抜穴及び呼吸穴を通過して収容空間の内部に水が浸入することを抑制することができる。
【００１２】
請求項２に記載の発明によれば、水抜穴の内側開口部を、呼吸穴の内側開口部よりも鉛直方向下方に位置するように形成した。このため、収容空間の内部に存在する水は、重力に従って水抜穴の内側開口部に集まり、該水抜穴の内側開口部から外部へ排水される。従って、水抜穴から水が排水されているときに、呼吸穴が収容空間内の水を排水することを抑制することができる。即ち、水抜穴から水が排水されているときであっても、呼吸穴は、外部から空気を導入することができ、収容空間内の気圧を一定に保つことができる。従って、水を排水する穴だけを形成した場合と比べて、排水性能を向上させることが可能となる。
【００１３】
請求項３に記載の発明によれば、水抜穴及び呼吸穴は、非直線状に形成されたため、外部から収容空間内に水が浸入することを抑制することができる。
請求項４に記載の発明によれば、水抜穴及び呼吸穴は、前記グロメットの側面に形成された溝にモータヨーク又はエンドフレームを圧接させることにより形成されている。このため、複雑な構造の水抜穴及び呼吸穴を形成する場合であっても、容易に形成することができる。
【００１４】
請求項５に記載の発明によれば、モータヨーク又はエンドフレームと圧接するグロメットの側面のうち、任意の一の側面に水抜穴を形成し、当該水抜穴を形成した側面の反対側のグロメットの側面に呼吸穴を形成した。このため、呼吸穴の内側開口部を、水抜穴の内側開口部から遠ざけることができ、呼吸穴の内側開口部に水が入ることを抑制することができる。また、水抜穴と呼吸穴とが形成される側面を別にしたので、それぞれより複雑な構造を有する水抜穴と呼吸穴を形成することができる。
【発明の効果】
【００１５】
本発明によれば、モータの排水性能を向上させることができる。
【発明を実施するための最良の形態】
【００１６】
以下、本発明を具体化した一実施形態を図面に従って説明する。
図１に示すように、モータ１０は、モータハウジング１１と、該モータハウジング１１内に回転可能に保持されるロータ（回転子）１２とを備えている。モータハウジング１１は、略有底筒形状に形成されたモータヨーク１３と、該モータヨーク１３の開口部１３ａを閉止するエンドフレーム１４とから構成されている。
【００１７】
モータヨーク１３の内側側面にはマグネットホルダ１５が嵌入され、該マグネットホルダ１５には複数のマグネット１６が保持されている。それらのマグネット１６の内側には、回転子１２が回転可能に支持されている。即ち、回転子１２には回転軸１７が備えられ、その回転軸１７の両端がモータヨーク１３及びエンドフレーム１４にそれぞれ設けられた軸受１８，１９を介して回転可能に支持されている。また、回転軸１７には、コンミテータ（整流子）２０と、アーマチャ（電機子）２１が一体回転可能に設けられている。尚、アーマチャ２１は、マグネット１６の内側に配置されるように回転軸１７に固定されている。また、回転軸１７の先端はエンドフレーム１４から突出するように形成されている。
【００１８】
エンドフレーム１４には、略有底筒状に形成され、モータヨーク１３と略同一の外径を有する収容部２３と、該収容部２３から径方向外側に向かって突出形成されたフレーム側固定部２４とが設けられている。
【００１９】
図２に示すように、フレーム側固定部２４には、モータ１０の軸方向に沿って形成されたネジ穴２５と、軸方向に沿って該フレーム側固定部２４を貫通するように形成された取付孔２６が設けられている。また、図１に示すように、前記モータヨーク１３には、その開口部１３ａから径方向外側に向かって延びるフランジ２７が形成されている。図３に示すように、フランジ２７には、該フランジ２７からさらに径方向外側に向かって延びるように形成された該複数（本実施形態では、３つ）のヨーク側固定部２８が配設されている。該ヨーク側固定部２８は、エンドフレーム１４のフレーム側固定部２４と対向する位置に設けられている。各ヨーク側固定部２８には、該各ヨーク側固定部２８をモータ１０の軸方向に貫通する取付孔２９が形成されている。そして、この取付孔２９に挿通された取付ネジ３０をフレーム側固定部２４のネジ穴２５に螺合することで、エンドフレーム１４にモータヨーク１３が取着される。また、このエンドフレーム１４とモータヨーク１３との間には、フランジ２７の全周にわたって弾性部材からなるＯリング３１が介在されている。このＯリング３１によりモータヨーク１３とエンドフレーム１４との間から水がモータハウジング１１（即ち、モータヨーク１３とエンドフレーム１４に囲まれた収容空間）内に浸入しないように防水されるようになっている。
【００２０】
また、エンドフレーム１４の収容部２３には、ブラシ装置３２が収容されている（図１参照）。該ブラシ装置３２に保持されたブラシ３３がコンミテータ２０に摺接するように配置されている。また、該ブラシ装置３２は、弾性部材としてのフローティングゴム３４を介して支持ネジ３６にてエンドフレーム１４にフローティング支持されている。ブラシ装置３２の外周縁近傍には、ブラシ３３と接続されている給電端子３７が設けられている。
【００２１】
そして、該収容部２３の側壁部２３ａには、エンドフレーム１４の軸方向に沿って凹状の取付凹部３８が形成されている。より詳しくは、３つのフレーム側固定部２４のうち１つのフレーム側固定部２４と回転軸１７を中心として対向する収容部２３の側壁部２３ａに、エンドフレーム１４の軸方向に沿って取付凹部３８が凹状に形成されている。この取付凹部３８は、モータ１０が車両などに取り付けられたとき、モータ１０に対して、より詳しくは、モータヨーク１３とエンドフレーム１４により囲まれた収容空間（即ち、モータハウジング１１の収容空間）に対して鉛直方向下方に位置するようになっている。
【００２２】
そして、該取付凹部３８には、弾性部材からなるグロメット４０が嵌着されている。従って、グロメット４０は、モータ１０に対して、より詳しくは、モータヨーク１３とエンドフレーム１４により囲まれた収容空間に対して鉛直方向下方に位置するようになっている。
【００２３】
図４に示すように、グロメット４０は、略直方体に形成されており、エンドフレーム１４にモータヨーク１３が取着されると、モータヨーク１３のフランジ２７とエンドフレーム１４の取付凹部３８とにより挟持されるようになっている。また、前記Ｏリング３１は、グロメット４０に一体成形されている。即ち、Ｏリング３１の一部分は、モータヨーク１３のフランジ２７と接触するグロメット４０の側面に固着されている。
【００２４】
前記グロメット４０には、モータハウジング１１の内外に貫通するように形成された貫通孔４１が一対形成されている（図４（ｂ）参照）。該貫通孔４１には、モータハウジング１１の外部からそれぞれ入力端子４２が圧入される（図１及び図２参照）。そして、入力端子４２の先端は、モータハウジング１１内で、ブラシ装置３２に設けられた給電端子３７と接続するようになっている。この入力端子４２から電力が給電端子３７、ブラシ３３を介してコンミテータ２０に供給される。また、モータハウジング１１の外側におけるグロメット４０の端部には、鍔部４３ａが延出形成されている。該鍔部４３ａは、モータハウジング１１の外側面と係止するようになっており、グロメット４０がモータハウジング１１内に移動するのを規制している。また、グロメット４０の外周面には、外周面から突出する突出部４３ｂが形成されている。そして、グロメット４０がモータヨーク１３及びエンドフレーム１４により挟持されることにより、突出部４３ｂは、取付凹部３８及びフランジ２７に密着し、モータヨーク１３とグロメット４０の間、又はエンドフレーム１４とグロメット４０の間から水がモータハウジング１１内に浸入しないようにしている。
【００２５】
そして、グロメット４０には、モータハウジング１１の内外に開口する水抜穴４４と、モータハウジング１１の内外に開口する呼吸穴４５が形成されている（図４参照）。前記水抜穴４４とは、モータハウジング１１内の水をモータハウジング１１外に排水する穴のことをいう。また、前記呼吸穴４５とは、モータハウジング１１外とモータハウジング１１内とを連通する穴、即ち、モータハウジング１１外からモータハウジング１１内に空気を導入する穴のことをいう。以下、水抜穴４４及び呼吸穴４５の構成について詳述する。
【００２６】
図４（ａ）に示すように、水抜穴４４のモータハウジング１１内に向かって開口する開口部（以下、「水抜穴４４の内側開口部」という）４４ａは、モータ１０の鉛直方向上方に向かって開口するように形成されている。また、水抜穴４４のモータハウジング１１外に向かって開口する開口部（以下、「水抜穴４４の外側開口部」という）４４ｂは、モータ１０の鉛直方向下方に向かって開口するように形成されている。そして、水抜穴４４の外側開口部４４ｂは、水抜穴４４の内側開口部４４ａよりも鉛直方向下方に位置するように形成されている。そして、水抜穴４４は、水抜穴４４の内側開口部４４ａから水抜穴４４の外側開口部４４ｂに向かって形成されている。従って、重力の関係上、モータハウジング１１外から水抜穴４４を通過してモータハウジング１１内に水が浸入しにくくなっている。
【００２７】
同様に、呼吸穴４５のモータハウジング１１内に向かって開口する開口部（以下、「呼吸穴４５の内側開口部」という）４５ａは、鉛直方向上方に向かって開口し、呼吸穴４５のモータハウジング１１外に向かって開口する開口部（以下、「呼吸穴４５の外側開口部」という）４５ｂは、鉛直方向下方に向かって開口するように形成されている。そして、呼吸穴４５の外側開口部４５ｂは、呼吸穴４５の内側開口部４５ａよりも鉛直方向下方に位置するように形成されている。そして、呼吸穴４５は、呼吸穴４５の内側開口部４５ａから呼吸穴４５の外側開口部４５ｂに向かって形成されている。従って、重力の関係上、モータハウジング１１外から呼吸穴４５を通過してモータハウジング１１内に水が浸入しにくくなっている。
【００２８】
そして、前記水抜穴４４の内側開口部４４ａは、前記呼吸穴４５の内側開口部４５ａよりも鉛直方向下方に位置するように形成されている。より詳しく説明すると、モータハウジング１１内におけるグロメット４０の側面（即ち、ブラシ装置３２に対向する側面）には、鉛直方向下方に沿って凹状に窪んでいる窪部４６が形成されており、その窪部４６の底部に前記水抜穴４４の内側開口部４４ａが形成されている。つまり、前記水抜穴４４の内側開口部４４ａが形成される場所と、前記呼吸穴４５の内側開口部４５ａが形成される場所には段差があり、モータハウジング１１内の水が水抜穴４４の内側開口部４４ａに集まり、該水抜穴４４の内側開口部４４ａからモータハウジング１１外へ排水されるようになっている。従って、モータハウジング１１内の水が呼吸穴４５から排水されることを抑制するように構成されている。
【００２９】
また、水抜穴４４は、迷路構造を有している。即ち、水抜穴４４は、非直線状に形成されている（つまり、水抜穴４４は、水抜穴４４の内側開口部４４ａと外側開口部４４ｂとを結ぶ直線形状には形成されていない、換言すると、水抜穴４４は、通過する水が蛇行するように形成されている）。本実施形態では、水抜穴４４は、図４（ｂ）に示すように、クランク状に形成されている。同様に、呼吸穴４５は、迷路構造を有している。即ち、非直線状に形成されている（つまり、呼吸穴４５は、呼吸穴４５の内側開口部４５ａと外側開口部４５ｂとを結ぶ直線状には形成されていない、換言すると、呼吸穴４５は、通過する空気が蛇行するように形成されている）。本実施形態では、呼吸穴４５は、図４（ｂ）に示すように、クランク状に形成されている。
【００３０】
具体的に説明すると、図４（ａ）に示すように、水抜穴４４は、水抜穴４４の内側開口部４４ａから一定距離（本実施形態では、グロメット４０の鉛直方向略中央付近までの距離）鉛直方向下方に沿って形成され、そこから水平方向に沿って一定距離形成されている。さらに、そこから水抜穴４４の外側開口部４４ｂに向かって鉛直方向下方に沿って一定距離形成されている。
【００３１】
同様に、呼吸穴４５は、呼吸穴４５の内側開口部４５ａから一定距離（本実施形態では、グロメット４０の鉛直方向略中央付近までの距離）鉛直方向下方に沿って形成され、そこから水平方向に沿って一定距離形成されている。さらに、そこから呼吸穴４５の外側開口部４５ｂに向かって鉛直方向下方に沿って一定距離形成されている。
【００３２】
そして、前記水抜穴４４は、前記Ｏリング３１が形成されたグロメット４０の側面と反対側の側面であって、エンドフレーム１４と圧接するグロメット４０の側面に形成されており、エンドフレーム１４の圧接面に向かって開口するように形成されている。換言すれば、エンドフレーム１４と圧接するグロメット４０の側面には、水抜穴４４の内側開口部４４ａから外側開口部４４ｂに亘って、エンドフレーム１４の圧接面側に向かって開口する溝部としての水抜用溝部４４ｃが形成されている。そして、グロメット４０の側面にエンドフレーム１４を圧接させることにより、エンドフレーム１４の圧接面と、水抜用溝部４４ｃとからモータハウジング１１内外に開口する水抜穴４４が形成されるようになっている。これにより、水抜穴４４の迷路構造がグロメット４０の表面に現れるので、前記水抜穴４４の迷路構造を容易に形成できるようになっている。
【００３３】
同様に、前記呼吸穴４５は、前記Ｏリング３１が形成されたグロメット４０の側面と反対側の側面であって、エンドフレーム１４と圧接するグロメット４０の側面に形成されており、エンドフレーム１４の圧接面に向かって開口している。換言すれば、エンドフレーム１４と圧接するグロメット４０の側面には、呼吸穴４５の内側開口部４５ａから外側開口部４５ｂに亘って、エンドフレーム１４の圧接面側に向かって開口する溝部としての呼吸用溝部４５ｃが形成されている。そして、該グロメット４０の側面にエンドフレーム１４を圧接させることにより、エンドフレーム１４の圧接面と、呼吸用溝部４５ｃとからモータハウジング１１内外に開口する呼吸穴４５が形成されるようになっている。これにより、呼吸穴４５の迷路構造がグロメット４０の表面に現れるので、前記呼吸穴４５の迷路構造を容易に形成できるようになっている。
【００３４】
次に、モータハウジング１１内の水がモータハウジング１１外へ排水されるまでの流れについて説明する。
モータハウジング１１内の水は、重力に従ってモータ１０の鉛直方向下方に集まる。モータ１０の鉛直方向下方にはグロメット４０が配置されており、また、モータハウジング１１内におけるグロメット４０の表面には、凹状の窪部４６が形成されているので、水は重力に従って該窪部４６に集まる。
【００３５】
そして、窪部４６に集まった水は、水抜穴４４の内側開口部４４ａから水抜穴４４を通過し、水抜穴４４の外側開口部４４ｂからモータハウジング１１外へ排出される。同時に、モータハウジング１１外から呼吸穴４５を介してモータハウジング１１内へ空気が導入されるので、排水してもモータハウジング１１内の気圧が一定に保たれることとなる。また、水抜穴４４又は呼吸穴４５の外側開口部４４ｂ，４５ｂに水膜が形成されても、水抜穴４４又は呼吸穴４５に形成された迷路構造を通過する際に、水膜はその形状を維持できなくなり割れるので、水がモータハウジング１１内に浸入することを抑制することができる。
【００３６】
以上詳述したように、本実施形態は、以下の特徴を有する。
（１）グロメット４０に、モータハウジング１１の内外に開口する水抜穴４４と、モータハウジング１１の内外に開口する呼吸穴４５とを形成した。このため、水抜穴４４及び呼吸穴４５から同時に水が排水されない限り、モータハウジング１１内から水抜穴４４を介して水を排水するとき、呼吸穴４５は、モータハウジング１１外から空気を導入する。従って、モータハウジング１１内の気圧が一定に保たれるので、水を排水する穴が一つの場合と比べて、排水性能を向上させることが可能となる。また、水抜穴４４及び呼吸穴４５の外側開口部４４ｂ，４５ｂを鉛直方向下方に開口するように形成した。このため、重力の関係上、モータハウジング１１の内外に開口する穴を２つ設けても、モータハウジング１１内に水が浸入しにくくなる。さらに、入力端子４２を支持するために必要なグロメット４０に水抜穴４４及び呼吸穴４５を形成したので、構成部材の点数が少なく、また、構成部材の大幅な形状変更をしなくてもよくなる。このため、製造コストを低減することができる。
【００３７】
（２）水抜穴４４の内側開口部４４ａを、前記呼吸穴４５の内側開口部４５ａよりも鉛直方向下方に位置するように形成した。より詳しくは、鉛直方向下方に沿って凹状に窪んでいる窪部４６を形成し、その窪部４６の底部に前記水抜穴４４の内側開口部４４ａを形成した。このため、モータハウジング１１内の水は、重力に従って水抜穴４４の内側開口部４４ａに集まり、該水抜穴４４の内側開口部４４ａからモータハウジング１１外へ排水される。従って、呼吸穴４５の内側開口部４５ａに水が浸入することを抑制することができる。即ち、水抜穴４４から水が排水されているときであっても、呼吸穴４５は、モータハウジング１１外から空気を導入することができ、モータハウジング１１内の気圧を一定に保つことができる。従って、水を排水する穴だけを形成した場合と比べて、排水性能を向上させることが可能となる。
【００３８】
（３）水抜穴４４及び呼吸穴４５は、迷路構造を有しているため、即ち、非直線形状に形成されたため、モータハウジング１１外からモータハウジング１１内に水が浸入しにくくなっている。即ち、水は水抜穴４４又は呼吸穴４５を通過するには、蛇行して通過しなくてはならないので、水抜穴４４又は呼吸穴４５の途中で水の浸入を止めることができる。そして、外側開口部４４ｂ，４５ｂから浸入し、水抜穴４４又は呼吸穴４５の途中で停止した水は、そのまま重力により水抜穴４４又は呼吸穴４５の外側開口部４４ｂ，４５ｂから外部に排出される。従って、モータハウジング１１の外部からモータハウジング１１内に水が浸入しにくくなっている。
【００３９】
（４）水抜穴４４及び呼吸穴４５は、グロメット４０の側面に水抜用溝部４４ｃと呼吸用溝部４５ｃを形成し、該水抜用溝部４４ｃと該呼吸用溝部４５ｃのエンドフレーム１４に向かって開口する開口部を閉止するようにエンドフレーム１４を圧接させることにより形成されている。このようにグロメット４０の側面に溝を形成すればよいため、複雑な迷路構造を有する水抜穴及び呼吸穴を形成する場合であっても、容易に形成することができる。
【００４０】
（５）水抜穴４４及び呼吸穴４５の内側開口部４４ａ，４５ａは、外側開口部４４ｂ，４５ｂよりも鉛直方向上方に配置されているので、重力の関係上、モータハウジング１１内に水が浸入しにくくなる。
【００４１】
（６）水抜穴４４及び呼吸穴４５を非直線状を形成した。このため、外側開口部４４ｂ，４５ｂに水膜が形成されても、水抜穴４４又は呼吸穴４５を通過して内側開口部４４ａ，４５ａに到達するまで水膜の形状を維持できない（即ち、水膜は水抜穴４４又は呼吸穴４５を通過する途中で割れる）。従って、水がモータハウジング１１内に浸入することを抑制することができる。
【００４２】
尚、上記実施形態は、次のような別の実施形態（別例）にて具体化できる。
○上記実施形態では、水抜穴４４及び呼吸穴４５は、Ｏリング３１が形成されたグロメットの側面と反対側の側面であって、エンドフレーム１４と圧接するグロメット４０の側面に形成されていたが、グロメット４０に形成されるならば任意の場所に形成しても良い。例えば、Ｏリング３１が形成されたグロメット４０の側面に水抜穴４４及び呼吸穴４５を形成しても良い。また、図５（ａ）及び図５（ｂ）に示すように、モータヨーク１３又はエンドフレーム１４に圧接するグロメット４０の側面のうち、一の側面に水抜穴４４を形成し、当該側面の反対側のグロメット４０の側面に呼吸穴４５を形成しても良い。このようにすれば、水抜穴４４の内側開口部４４ａと、呼吸穴４５の内側開口部４５ａとが離れるので、呼吸穴４５の内側開口部４５ａに水が入りにくくなる。また、水抜用溝部４４ｃ及び呼吸用溝部４５ｃを作成する面積が広がるので、複雑な構造を有する水抜穴４４及び呼吸穴４５を形成することができる。
【００４３】
○上記実施形態において、Ｏリング３１は、グロメット４０に一体形成したが、別々に形成するようにしても良い。
○上記実施形態では、水抜穴４４の内側開口部４４ａは、呼吸穴４５の内側開口部４５ａよりも鉛直方向下方に位置するようにしたが、高低差を付けなくても良い。
【００４４】
○上記実施形態では、水抜穴４４及び呼吸穴４５をそれぞれ１つずつ形成したが、それぞれ任意の数ずつ形成しても良い。
○上記実施形態では、グロメット４０に鍔部４３ａ及び突出部４３ｂを形成したが、形成しなくても良い。
【００４５】
○上記実施形態において、水抜穴４４及び呼吸穴４５の形状は、非直線形状ならば任意に変更しても良い。例えば、図６及び図７に示すように、内側開口部４４ａ，４５ａから外側開口部４４ｂ，４５ｂに向かって鉛直方向に沿って真っ直ぐに水抜穴４４及び呼吸穴４５をそれぞれ形成する。そして、水抜穴４４及び呼吸穴４５の途中において、内側開口部４４ａ，４５ａから外側開口部４４ｂ，４５ｂを直接視認できないように、水平方向に延出形成した壁部５０ａ、５０ｂ、５０ｃ、５０ｄを形成するようにしても良い。即ち、水抜穴４４の内側開口部４４ａと水抜穴４４の外側開口部４４ｂとが結ぶ直線状（又は呼吸穴４５の内側開口部４５ａと呼吸穴４５の外側開口部４５ｂとが結ぶ直線状）に沿って水が通過できないように、水平方向に延出形成した壁部５０ａ、５０ｂ、５０ｃ、５０ｄを形成するようにしても良い。換言すると、水の浸入経路（通過経路）が蛇行するように、水抜穴４４及び呼吸穴４５の経路方向と異なる方向に突出する壁部５０ａ、５０ｂ、５０ｃ、５０ｄを水抜穴４４又は呼吸穴４５の途中に延出形成しても良い。このようにすれば、壁部５０ａ、５０ｂ、５０ｃ、５０ｄにより浸入した水は蛇行するので、重力により水抜穴４４又は呼吸穴４５の途中で水を停止させることができる。即ち、外側開口部４４ｂ、４５ｂから水の浸入を抑制することができる。
【００４６】
また、図８（ａ）〜（ｃ）に示すように、水抜穴４４及び呼吸穴４５を円弧状に形成しても良い。このようにしても、浸入した水が蛇行するので、外側開口部４４ｂ、４５ｂから水の浸入を抑制することができる。
【００４７】
次に、上記実施形態及び別例から把握できる技術的思想の創作を以下に追記する。
（イ）前記水抜穴及び前記呼吸穴は、前記水抜穴及び前記呼吸穴を通過する水が蛇行するように形成されたことを特徴とする請求項１〜請求項５のうちいずれか一項に記載のモータ。
（ロ）前記水抜穴及び前記呼吸穴は、クランク状に形成されたことを特徴とする技術的思想（イ）に記載のモータ。
（ハ）前記水抜穴及び前記呼吸穴は、円弧状に形成されたことを特徴とする技術的思想（イ）に記載のモータ。
（ニ）前記水抜穴及び前記呼吸穴には、前記水抜穴及び前記呼吸穴を通過する水が蛇行するように、前記水抜穴及び前記呼吸穴の経路方向と異なる方向に突出する壁部が設けられたことを特徴とする請求項１〜請求項５のうちいずれか一項に記載のモータ。
【図面の簡単な説明】
【００４８】
【図１】本実施形態のモータの縦断面図。
【図２】エンドフレーム及びグロメットの上面図。
【図３】モータの外観図。
【図４】（ａ）は、グロメットの側面図、（ｂ）は、グロメットの正面図。
【図５】（ａ）及び（ｂ）は、別例のグロメットの正面図。
【図６】別例のグロメットの側面図。
【図７】（ａ）は別例のグロメットの側面図、（ｂ）は別例のグロメットの正面図。
【図８】（ａ）は、別例のグロメットの正面図、（ｂ）はモータヨーク側からみた別例のグロメットの側面図、（ｃ）は、エンドフレーム側からみた別例のグロメットの側面図。
【符号の説明】
【００４９】
１０…モータ、１１…モータハウジング、１３…モータヨーク、１４…エンドフレーム、２１…ブラシ装置、３１…Ｏリング、４０…グロメット、４２…入力端子、４４…水抜穴、４４ａ…水抜穴の内側開口部、４４ｂ…水抜穴の外側開口部、４４ｃ…溝部としての水抜用溝部、４５…呼吸穴、４５ａ…呼吸穴の内側開口部、４５ｂ…呼吸穴の外側開口部、４５ｃ…溝部としての呼吸用溝部、５０ａ〜５０ｄ…壁部。
【図１】
2005143246.tif 000003
【図２】
2005143246.tif 000004
【図３】
2005143246.tif 000005
【図４】
2005143246.tif 000006
【図５】
2005143246.tif 000007
【図６】
2005143246.tif 000008
【図７】
2005143246.tif 000009
【図８】
2005143246.tif 000010